(57)【特許請求の範囲】
【請求項１】
中央部位に形成された膨出部、該膨出部に形成された開口、及び、前記膨出部の周囲に形成された固定孔を有し、前記開口に連通するようにして前記膨出部内に雌ネジ部材が固定されており、瓦屋根の桟木材間に設置可能な外形寸法である金属板と；基端部位に形成された環状部、及び、先端部位に形成された雄ネジ部を有し、前記雄ネジ部にロックナットを螺合させてあり、前記膨出部の開口を通して前記雄ネジ部を前記雌ネジ部材へ螺合させ、当該雌ネジ部材と前記ロックナットとで前記膨出部を挟持して装着される金属環体と；を含んで構成される係着金具を、屋根に設置した係着金具の設置構造であって、
瓦屋根の桟木材間において、前記金属環体を装着していない前記金属板が、前記膨出部を上側にして、前記固定孔に通したアンカーで野地材へ固定され、該固定された金属板を覆って瓦が葺かれている、係着金具の設置構造。
【請求項２】
前記金属板の前記雌ネジ部材にキャップが装着されている、請求項１記載の係着金具の設置構造。
【請求項３】
前記金属板の少なくとも水上側の側辺がコーキングされている、請求項１又は請求項２記載の係着金具の設置構造。
【請求項４】
前記金属板と前記野地材との間に防水材が敷かれている、請求項１〜３のいずれかに記載の係着金具の設置構造。
【請求項５】
中央部位に形成された膨出部、該膨出部に形成された開口、及び、前記膨出部の周囲に形成された固定孔を有し、前記開口に連通するようにして前記膨出部内に雌ネジ部材が固定されており、瓦屋根の桟木材間に設置可能な外形寸法である金属板と；基端部位に形成された環状部、及び、先端部位に形成された雄ネジ部を有し、前記雄ネジ部にロックナットを螺合させてあり、前記膨出部の開口を通して前記雄ネジ部を前記雌ネジ部材へ螺合させ、当該雌ネジ部材と前記ロックナットとで前記膨出部を挟持して装着される金属環体と；を含んで構成される係着金具の使用方法であって、
瓦屋根の桟木材間において、前記金属環体を装着していない前記金属板を、前記膨出部を上側にして、前記固定孔に通したアンカーで野地材へ固定した後、該固定した金属板を覆って瓦を葺くことで、前記係着金具の金属板だけを瓦の下に設置しておき、
当該金属板を設置した屋根で作業をする際に、前記金属板を覆っている瓦を取り外して、これにより露出する前記金属板に、前記金属環体を装着し、
当該装着した金属環体の前記環状部に、作業用具を掛け止める、係着金具の使用方法。
【請求項６】
前記野地材へ固定した金属板を覆って瓦を葺く前に、該金属板の前記雌ネジ部材にキャップを装着し、
前記金属環体を装着するときに、前記キャップを取り外す、請求項５記載の係着金具の使用方法。
【請求項７】
前記金属板を前記野地材へ固定するときに、前記金属板の少なくとも水上側の側辺をコーキングする、請求項５又は請求項６記載の係着金具の使用方法。
【請求項８】
前記金属板を前記野地材へ固定するときに、前記金属板と前記野地材との間に防水材を敷く、請求項５〜７のいずれかに記載の係着金具の使用方法。
【発明の詳細な説明】
【技術分野】
【０００１】
屋根作業時に命綱（安全帯、親綱等）などの作業用具を掛け止めるための係着装置に関する技術が以下に開示される。
【背景技術】
【０００２】
屋根の施工時に、親綱を屋根上に架設するための係着金具として、例えば特許文献１に記載される親綱用固定金具のような係着金具が提案されている。特許文献１の係着金具は屋根の棟部に据え付けられもので、屋根葺きの作業時に親綱を掛け止めて使用し、屋根葺き施工の終了後には、取り外すことなくそのまま棟包により覆い隠して外部に露出させない点に特徴を有する。
【先行技術文献】
【特許文献】
【０００３】
【特許文献１】特開平０８−０８２０６２号公報
【発明の概要】
【発明が解決しようとする課題】
【０００４】
上記形態の係着金具は、屋根葺き施工後に棟包で覆い隠されるものであり、再利用の観点がないので、後になって補修やソーラーパネル設置などで使用したくとも、棟包の解体作業が必要となるなど利用し難い。また、屋根を葺いた後に後付けで上記形態の係着金具を取り付けることも、棟部構造の解体作業を要するといった点で行い難い。さらには、瓦屋根の場合、棟部に冠瓦やのし瓦、芯材といった構造が組まれるので、上記形態の係着金具を採用するのは難しい。
【０００５】
このような背景に鑑み、特に瓦屋根に対して、屋根葺きの施工後であっても設置可能であり、また、補修やソーラーパネル設置など、屋根を葺いた後の作業時に使用可能な係着金具の設置構造及び使用方法を提案する。
【課題を解決するための手段】
【０００７】
当課題に対して提案する係着金具の設置構造は、
中央部位に形成された膨出部、該膨出部に形成された開口、及び、前記膨出部の周囲に形成された固定孔を有し、前記開口に連通するようにして前記膨出部内に雌ネジ部材が固定されており、瓦屋根の桟木材間に設置可能な外形寸法である金属板と；基端部位に形成された環状部、及び、先端部位に形成された雄ネジ部を有し、前記雄ネジ部にロックナットを螺合させてあり、前記膨出部の開口を通して前記雄ネジ部を前記雌ネジ部材へ螺合させ、当該雌ネジ部材と前記ロックナットとで前記膨出部を挟持して装着される金属環体と；を含んで構成される係着金具を、屋根に設置した係着金具の設置構造であって、
瓦屋根の桟木材間において、前記金属環体を装着していない前記金属板が、前記膨出部を上側にして、前記固定孔に通したアンカーで野地材へ固定され、該固定された金属板を覆って瓦が葺かれている構造である。
【０００８】
さらに、上記係着金具の使用方法は、
中央部位に形成された膨出部、該膨出部に形成された開口、及び、前記膨出部の周囲に形成された固定孔を有し、前記開口に連通するようにして前記膨出部内に雌ネジ部材が固定されており、瓦屋根の桟木材間に設置可能な外形寸法である金属板と；基端部位に形成された環状部、及び、先端部位に形成された雄ネジ部を有し、前記雄ネジ部にロックナットを螺合させてあり、前記膨出部の開口を通して前記雄ネジ部を前記雌ネジ部材へ螺合させ、当該雌ネジ部材と前記ロックナットとで前記膨出部を挟持して装着される金属環体と；を含んで構成される係着金具の使用方法であって、
瓦屋根の桟木材間において、前記金属環体を装着していない前記金属板を、前記膨出部を上側にして、前記固定孔に通したアンカーで野地材へ固定した後、該固定した金属板を覆って瓦を葺くことで、前記係着金具の金属板だけを瓦の下に設置しておき、
当該金属板を設置した屋根で作業をする際に、前記金属板を覆っている瓦を取り外して、これにより露出する前記金属板に、前記金属環体を装着し、
当該装着した金属環体の前記環状部に、作業用具を掛け止めて使用するものである。
【発明の効果】
【０００９】
上記提案に係る係着金具の設置構造及び使用方法によれば、既に瓦を葺いてある既存の屋根であっても、冠瓦やのし瓦のある棟部に手を加えることなく、数枚の瓦（桟瓦、軒瓦、袖瓦等）を外すだけで係着金具を設置することができる。しかも、金属環体を取り外せば、金属板を固定した箇所は、他の箇所と同じように瓦を葺くことができ、固定した金属板を他の箇所同様に瓦で覆い隠せるので、外観及び雨漏り防止の点で優れる。そして、補修やソーラーパネル設置など、屋根を葺いた後に何らかの屋根上作業を行うときには、金属板を固定した箇所の数枚の瓦を取り外せば、金属環体を金属板に装着することができ、この金属環体に作業用具を掛け止めて作業することができる。すなわち、当該係着金具を、簡単に何度でも再利用することが可能である。
【図面の簡単な説明】
【００１０】
【図１】係着金具の設置構造の実施形態を示す図。
【図２】実施形態に係る係着金具の設置構造の金属板を野地材に固定した状態を上から見て示す図。
【図３】実施形態に係る係着金具の設置構造の金属板を屋根に設置した構造を横から見て示す図。
【図４】実施形態に係る係着金具の使用方法について、金属板に金属環体を装着した状態を示す図。
【図５】係着金具の応用例を示す図。
【発明を実施するための形態】
【００１１】
図１に、実施形態に係る係着金具の設置構造を示している。
本実施形態に係る係着金具の設置構造の係着金具は、瓦屋根の桟木材Ａの間において野地材Ｂへ固定される金属板１と、この金属板１に装着される金属環体２と、を含んで構成される。
【００１２】
金属板１は、溶融めっき鋼板（例えばＺＡＭ：登録商標）を、一定の間隔で設けられた桟木材Ａの間に設置可能な外形寸法（一例として２００ｍｍ×１６５ｍｍの長方形）に成形したものである。金属板１の中央部位には、台地状に２０ｍｍ程度突出する膨出部１ａがプレス加工により形成されている。図中には平面形状が四辺形の膨出部１ａを一例として示すが、円形など他の形状であってもよい。この膨出部１ａには、中央部位に開口１ｂが形成されている。そして、金属板１において膨出部１ａの周囲には、本実施形態の場合は四隅に、固定孔１ｃが形成されている。この４つの固定孔１ｃにアンカー１ｄを通して野地材Ｂへねじ込むことで、金属板１が野地材Ｂに固定される。野地材Ｂは通常９ｍｍ〜１２ｍｍ厚の合板であり、アンカー１ｄは一例として１個につき８００ｋｇ以上の引き抜き荷重に耐え得るので、アンカー１ｄによって固定することにより金属板１は、少なくとも人が滑り落ちる衝撃荷重に耐え得る程度の固定強度を得られる。
【００１３】
金属板１の膨出部１ａ内、すなわち、膨出部１ａにより形成される凹部内には、開口１ｂに連通するようにして、雌ネジ部材１ｅが固定される（図４参照）。雌ネジ部材１ｅは、本実施形態では六角ナットを使用してあり、その少なくとも３箇所を溶接することによって固定される。この雌ネジ部材１ｅを利用して装着される金属環体２は、例えば、所定の長さ（一例として１５０ｍｍ）の胴部２ａを有するアイボルトに、耐腐食めっきを施して形成される。該胴部２ａの基端部位には、金属環となる環状部２ｂが形成されており、基端部位とは反対側の先端部位には、雄ネジ部２ｃがねじ切り形成されている。雄ネジ部２ｃにはロックナット２ｄを螺合させてあり、このロックナット２ｄは、金属環体２を金属板１にねじ込むときに、下の野地材Ｂに先端が当たるまでねじ込みすぎないように防止するストッパの役割ももつ。金属環体２を装着しないときの金属板１の雌ネジ部材１ｅには、開口１ｂを通してキャップ１ｆが装着され、防水が図られる。キャップ１ｆの胴部には、雌ネジ部材１ｅにねじ込めるようにネジが切られている。
【００１４】
図２に示すように、金属板１は、桟木材Ａの間において野地材Ｂに、アンカー１ｄによって固定される。金属板１の固定にあたっては、まず、金属板１を固定する箇所の野地材Ｂ上にシート状の防水材を敷き（貼り付けるとよい）、該防水材の上に金属板１を、膨出部１ａを上側にして置く。そして、固定孔１ｃを通し、防水材を貫通させてアンカー１ｄを野地材Ｂへねじ込み、金属板１を固定する。さらに、固定した金属板１の少なくとも水上側の側辺をコーキングし（本実施形態の場合は該側辺に続く２辺を含めた合計３辺をコーキングする）、金属板１の開口１ｂから雌ネジ部材１ｅへキャップ１ｆを装着する。この後、図３に示すように、金属板１を覆って桟瓦（あるいは軒瓦、袖瓦）を葺けば、係着金具の設置構造の完成である。すなわち、桟木材Ａ間において、金属環体２を装着していない金属板１が、膨出部１ａを上側にして、固定孔１ｃに通したアンカー１ｄで野地材Ｂへ固定され、該固定された金属板１を覆って瓦が葺かれている、係着金具設置構造がつくられる。本実施形態の設置構造の場合、金属板１の雌ネジ部材１ｅにはキャップ１ｆが装着され、また、金属板１の少なくとも水上側の側辺はコーキングされ、そして、金属板１と野地材Ｂとの間には防水材が敷かれている。
【００１５】
図４に示すように、金属環体２は、金属板１に形成された膨出部１ａの開口１ｂを通して雄ネジ部２ｃを雌ネジ部材１ｅへ螺合させることで、装着される。金属環体２の雄ネジ部２ｃを金属板１の雌ネジ部材１ｅへねじ入れていくと、雄ネジ部２ｃに螺合させてあるロックナット２ｄが膨出部１ａの外面に当接し、それ以上ねじ込みできなくなる。このようにロックナット２ｄがストッパとして設けてあることにより、金属板１の下にある野地材Ｂに金属環体２の先端が当たる前に、ねじ込みがストップされる。最終的に、ロックナット２ｄを膨出部１ａの方へ締め込み、雄ネジ部２ｃをねじ入れた雌ネジ部材１ｅとロックナット２ｄとで膨出部１ａを挟持することで、金属環体２が金属板１に立設される。鋼板プレス成形による膨出部１ａの裏側に雌ネジ部材１ｅが固定されていることにより、膨出部１ａの表側（つまり上側）に雌ネジ部材１ｅを固定する形態に比べて、金属環体２を引き抜く方向へ力がかかったときの強度が高くなる（雌ネジ部材１ｅの溶接が剥がされない）し、たとえ雌ネジ部材１ｅの溶接が剥がれたとしても、雌ネジ部材１ｅが膨出部１ａの裏側にあるので、金属環体２は抜け落ちない。そして、雌ネジ部材１ｅとロックナット２ｄとで膨出部１ａを挟持した形態とすることにより、金属環体２を倒す方向に力が加わっても変形し難い。
【００１６】
以上のように屋根へ設置される係着金具は、次のように使用される。
まず、上述のように、瓦屋根の要所の瓦を外した桟木材Ａ間において、金属環体２を装着していない金属板１を、膨出部１ａを上側にして、固定孔１ｃに通したアンカー１ｄで野地材Ｂへ固定する。この後、固定した金属板１を覆って瓦を葺くことで、係着金具の金属板１だけを瓦の下に設置する。この金属板１を野地材Ｂへ固定するときに、金属板１と野地材Ｂとの間に、上述のようにして防水材を敷く。また、金属板１の少なくとも水上側の側辺をコーキングする（本実施形態の場合は上述のように３辺をコーキング）。さらに、瓦を葺く前には、金属板１の雌ネジ部材１ｅにキャップ１ｆを装着しておく。これ以降、金属板１は瓦の下へ設置したままになるので、金属板１については、建築主（建物の所有者）が購入するものとするのがよい。
【００１７】
この金属板１を設置した屋根で作業をする際には、まず、金属板１を覆っている部分の瓦を取り外して、金属板１を露出させる。そして、露出した金属板１のキャップ１ｆを取り外し、これにより露呈する雌ネジ部材１ｅに、開口１ｂを通して金属環体２の雄ネジ部２ｃをねじ込み、ロックナット２ｄを締め込んで、金属環体２を金属板１へ装着する。このように作業の都度、金属環体２を装着することになるので、金属環体２は施工業者が所有するものとするのがよい。屋根上の数カ所に固定された金属板１に金属環体２を装着した後、その環状部２ｂに、例えば親綱を掛け止めて架設し、命綱として使用する。あるいは、資材を上げ下げするために組まれた足場材を掛け止めることもできる。このように、屋根の棟近く又は軒近くに固定した金属板１に金属環体２を装着し、作業用具を掛け止めて使用することができる。
【００１８】
以上のように、本実施形態によれば、既に瓦を葺いてある既存の屋根であっても、冠瓦やのし瓦、芯木のある棟部に手を加えることなく、数枚の瓦（桟瓦、軒瓦、袖瓦のいずれか）を外すだけで係着金具を設置することができる。しかも、金属板１を固定した箇所について、他の箇所と同じように瓦を葺くことができ、固定した金属板１を他の箇所同様に瓦で覆い隠せるので、外観及び雨漏り防止の点で優れる。そして、補修やソーラーパネル設置など、屋根を葺いた後に何らかの屋根上作業を行うときには、数枚の瓦を取り外すだけで金属板１を露出させることができ、露出した金属板１に金属環体２を装着すれば、この金属環体２に作業用具を掛け止めて作業することができる。すなわち、本実施形態に係る係着金具の設置構造の係着金具は、簡単に何度でも再利用することが可能である。
【００１９】
図５に、係着金具の応用例を示しておく。
応用例の係着金具は、上記実施形態で金属板１の膨張部１ａに固定される雌ネジ部材が、雄ネジ部材１ｅ’に変更されている。ボルト形の雄ネジ部材１ｅ’は、その頭部が膨張部１ａ内に固定され、開口１ｂを通してねじ切り胴部が膨張部１ａの外へ突出する。金属環体２’については、胴部２ａ’基端部位の環状部２ｂ’は上記実施形態と同じであるが、上記実施形態で先端部位に形成される雄ネジ部が、雌ネジ部２ｃ’に変更されている。したがって、金属環体２’は、開口１ｂから突出する雄ネジ部材１ｅ’へ雌ネジ部２ｃ’をねじ込むことで、金属板１に装着される。金属板１の設置高Ｈが、雄ネジ部材１ｅ’の突出量だけ高くなるので、これを収容できるだけのスペースが瓦下にあるときに、図５の応用例を適用することができる。
【符号の説明】
【００２０】
１  金属板
１ａ  膨出部
１ｂ  開口
１ｃ  固定孔
１ｄ  アンカー
１ｅ  雌ネジ部材
１ｆ  キャップ
２  金属環体
２ａ  胴部
２ｂ  環状部
２ｃ  雄ネジ部
２ｄ  ロックナット
Ａ  桟木材
Ｂ  野地材
【図１】
0005785793.tif 000002
【図２】
0005785793.tif 000003
【図３】
0005785793.tif 000004
【図４】
0005785793.tif 000005
【図５】
0005785793.tif 000006